(57)【要約】複数の通路孔を形成した伝熱プレートが複数枚積層され、隣り合う各伝熱プレートの外周部間に流路形成用ガスケットが介装されることで、伝熱プレートを境にして高温流体を流通させる第１流路と低温流体を流通させる第２流体と流体を第１流路と第２流路とに流入出させる連通路とが交互に形成され、通路孔を囲む連通路形成用ガスケットが隣り合っている伝熱プレート間に介装されることで、流体を第１流路に流入出させる連通路と、第２流路に流入出させる連通路とが形成されている。連通路形成用ガスケットは、通路孔を囲む内側ガスケット部材と、この内側ガスケット部材を囲む外側ガスケット部材とを有して二重にされている。
2013061966.tif 000002
【特許請求の範囲】
【請求項１】
複数の通路孔を形成した伝熱プレートが複数枚積層され、
隣り合う各伝熱プレートの外周部間に流路形成用ガスケットが介装されることで、伝熱プレートを境にして高温流体を流通させる第１流路と、低温流体を流通させる第２流体とが交互に形成され、
前記通路孔を囲む連通路形成用ガスケットが隣り合っている伝熱プレート間に介装されることで、流体を第１流路に流入出させる連通路と第２流路に流入出させる連通路とが形成され、
前記連通路形成用ガスケットは、前記通路孔を囲む内側ガスケット部材と該内側ガスケットを囲む外側ガスケット部材とを有して二重にされている
プレート式熱交換器。
【請求項２】
前記連通路形成用ガスケットは、前記高温流体が流通する連通路を形成する伝熱プレート間にのみ二重に並列されている請求項１に記載のプレート式熱交換器。
【請求項３】
複数の通路孔を形成した２枚の伝熱プレートの外周部を永久接続したカセットプレートが複数枚積層され、
隣り合う各カセットプレートの外周部間に流路形成用ガスケットが介装され、
前記通路孔を囲む連通路形成用ガスケットが隣り合っている伝熱プレート間に介装されることで、
カセットプレート内とカセットプレート間とに高温流体を流通させる第１流路又は低温流体を流通させる第２流路が交互に形成され、
前記連通路形成用ガスケットは、前記通路孔を囲む内側ガスケット部材と該内側ガスケットを囲む外側ガスケット部材とを有して二重にされている
プレート式熱交換器。
【請求項４】
前記連通路形成用ガスケットの内側ガスケット部材と外側ガスケット部材との間の伝熱プレートには、排液孔が形成されている請求項１ないし３のいずれか一項に記載のプレート式熱交換器。
【請求項５】
前記連通路形成用ガスケット間の内側ガスケット部材と外側ガスケット部材との間の伝熱プレートには、給気孔が形成され、内外ガスケット部材と伝熱プレートとによって囲まれた密閉空間内に不活性ガスが充填されている請求項１ないし４のいずれか一項に記載のプレート式熱交換器。
【発明の詳細な説明】
【関連出願の相互参照】
【０００１】
本願は、日本国特願２０１１−２３３０９８号の優先権を主張し、引用によって本願明細書の記載に組み込まれる。
【技術分野】
【０００２】
本発明は、高温流体と低温流体とを熱交換させるプレート式熱交換器に関する。詳しくは、本発明は、複数枚の伝熱プレートを積層し、各伝熱プレート間の外周部などにガスケットを介装することにより、各伝熱プレート間に高温流体を流通させる流路と低温流体を流通させる流路とを交互に形成したプレート式熱交換器に関する。
【背景技術】
【０００３】
プレート式熱交換器は、図８に示すように、鉛直姿勢の長方形板状の固定フレーム１１と鉛直姿勢の長方形板状の移動フレーム１２との間に複数枚の長方形状の伝熱プレート２０，２０，…を鉛直姿勢で積層し、図９に示すように、この伝熱プレート２０と伝熱プレート２０との間に第１流路１と第２流路２とを交互に形成し、第１流路１に高温流体Ｈを流通させ、第２流路２に低温流体Ｃを流通させることで、高温流体Ｈと低温流体Ｃとを熱交換する。【０００４】
そして、固定フレーム１１の四隅には、流体Ｈ，Ｃの出入口となる通路孔１１ａ〜１１ｄが設けられ、移動フレーム１２には通路孔が設けられていない。また、固定フレーム１１と移動フレーム１２とには、それぞれ、専用のプレート（以下、「Ｄプレート」，「Ｅプレート」という。）３１，３２が重ねあわされている。Ｄプレート３１の四隅には、通路孔（採番せず）が設けられ、この通路孔を囲むガスケット（以下、「Ｄガスケット」という。）１４０がＤプレート３１と固定フレーム１１との間に介装されている。なお、Ｅプレート３２には、通路孔が設けられていない。【０００５】
また、伝熱プレート２０には、四隅に流体Ｈ，Ｃの出入口となる通路孔２１〜２４が設けられ、中間部に伝熱部（採番せず）が設けられ、各伝熱プレート２０，２０間にガスケット１３０を介装することで、例えば左側上、下の通路孔２１，２２と伝熱部とが連通し、かつ、右側上、下の通路孔２３，２４が伝熱部に開口しないように、あるいは、その逆になるようにされている。【０００６】
ガスケット１３０は、各伝熱プレート２０の外周部（外周縁に沿った内側）を囲む流路形成用ガスケット１３１と通路孔２１〜２４の周囲を囲む連通路形成用ガスケット１３２とを別体又は図示しない一体に形成したものとされている。【０００７】
そして、プレート式熱交換器は、右側上下の連通路形成用ガスケット１３２，１３２が右側上下の通路孔２３，２４を囲むことで、左側上下の通路孔２１，２２及び第１流路１から遮断された連通路３，３を設け、そして、流路形成用ガスケット１３１が左側上下の通路孔２１，２２と伝熱部とを囲むことで高温流体Ｈが流通する第１流路１を設けている。【０００８】
また、プレート式熱交換器は、左側上下の連通路形成用ガスケット１３２，１３２が左側上下の通路孔２１，２２を囲むことで、右側上下の通路孔２３，２４及び第２流路２から遮断された連通路３，３を設け、そして、流路形成用ガスケット１３１が右側上下の連通路形成用ガスケット１３２，１３２と伝熱部とを囲むことで低温流体Ｃが流通する第２の流路２を設けている。【０００９】
したがって、図９において、高温流体Ｈが左上の通路孔２１から第１流路１内を下向きに流通して左下の通路孔２２から排出され、低温流体Ｃが右下の通路孔２４から第２流路２内を上向きに流れて右上の通路孔２３から排出されることで、両流体Ｈ，Ｃが熱交換される。【００１０】
また、図示しないが、２枚の伝熱プレートの外周部などをレーザ溶接やロウ付けなどで永久接合したカセットプレートを鉛直姿勢で複数枚積層し、カセットプレートの外周部にガスケットを介装することで、カセットプレート内に第１流路又は第２流路が形成され、カセットプレートとカセットプレートとの間に第２流路又は第１流路が形成された接合型プレート式熱交換器が特許文献１などに記載されている。【００１１】
なお、流路形成用ガスケットと連通路形成用ガスケットとを一体化したガスケットが伝熱プレート間に介装されたプレート式熱交換器において、伝熱部と通路孔との境界部分に流路形成用ガスケットの一部分と連通路形成用ガスケットの一部分とを並列させて介装した二重（２本）ガスケットを有するプレート式熱交換器が特許文献２に記載されている。このプレート式熱交換器は、二重ガスケットが接着剤を使用しないで伝熱プレートに固着され、他の部分のガスケットが接着剤を使用して伝熱プレートに接着されることを特徴としている。【００１２】
そして、二重ガスケットは、積層される伝熱プレート間に１枚おき（交互）に介装されることで、二重ガスケットがなく伝熱部と通路孔とを連通させる流路が形成されている。この二重ガスケットが介装されていない部分の伝熱プレートは、内圧によって変形しやすくなっているが、二重ガスケットが接着剤によって伝熱プレートに接着されていないことにより、プレート式熱交換器の耐圧性を向上させている。
【先行技術文献】
【特許文献】
【００１３】
【特許文献１】日本国特開２００５−１０６４１２号公報
【特許文献２】日本国特開平９−７２６８６号公報
【００１４】
しかしながら、上記図８及び図９に示した従来のプレート式熱交換器においては、下記のような問題があった。【００１５】
プレート式熱交換器において、第１流路１に流入する高温流体Ｈは、図９に示すように、通路孔２１を囲む連通路形成用ガスケット１３２によって形成される連通路３内を流通している。この高温流体Ｈが流通する連通路３を形成している連通路形成用ガスケット１３２は、図１０に示すように、高温流体Ｈと触れている内側（接液側）が湿熱環境下にあることから、長期間の使用によって硬化あるいは軟化するなど熱劣化が進行する。【００１６】
また、この連通路形成用ガスケット１３２は、主成分が高分子（ＲＨ）であることから、高温流体Ｈに加熱されることで酸素（Ｏ２）と反応し、アルキルラジカル（Ｒ・）を生成する。そして、流路形成用ガスケット１３１の外側（非接液側）が大気に触れることから、アルキルラジカル（Ｒ・）が酸素と反応することで、ペルオキシラジカル（ＲＯＯ・）を生成する。このペルオキシラジカル（ＲＯＯ・）は、高分子（ＲＨ）と反応することで、過酸化物（ＲＯＯＨ）を生成する。この過酸化物（ＲＯＯＨ）は、不安定であり、アルコキシラジカル（ＲＯ・）とヒドロキシルラジカル（ＯＨ・）とに容易に分解する。【００１７】
要するに、高温流体Ｈが流通する連通路３を形成している連通路形成用ガスケット１３２は、接液側が高温流体Ｈに触れ、非接液側が大気に触れている。そのため、酸化劣化反応によって主成分である高分子が崩壊し、ラジカル数が増加し、分子鎖の切断や架橋反応が進行する。そして、これにより、ゴム本来の弾性が失われるとともに、構造上、連通路形成用ガスケット１３２が圧縮環境化にあることから、圧縮永久歪みの進行による面圧不足や罅（ひび）割れの進展による破断が生じる。そして、この破断により、高温流体Ｈが連通路３から第２流路内に漏洩し、低温流体Ｃと混合することがある。【００１８】
また、特許文献２に記載されたプレート式熱交換器は、二重ガスケットを内部に介装している。しかし、高温流体Ｈが流通する連通路３を形成している連通路形成用ガスケット１３２は、二重にされていないため、酸化劣化が生じ、高温流体Ｈが外部に漏洩することがある。【００１９】
そして、高温流体Ｈが危険な薬液である場合には、プレート式熱交換器から漏洩した高温流体Ｈが外部に流出すると、二次災害を起こすことがある。二次災害が起きないようにするため、ガスケットを早めに交換すると、ランニングコストがアップする。また、プレート式熱交換器全体を気密性の高いシートなどで覆ったり、積層された伝熱プレート間の外周縁部の隙間にゴムなどを挿し込んだりすることにより、酸化劣化を抑制し、高温流体Ｈが外部に流出しないようにする方法も考えられるが、このような方法は、コスト面や品質面に問題があることから採用されていない。
【発明の概要】
【発明が解決しようとする課題】
【００２０】
そこで、本発明は、高温流体が流通する連通路を形成している連通路形成用ガスケットが劣化しないようにしたプレート式熱交換器を提供することを課題とする。
【課題を解決するための手段】
【００２１】
本発明に係るプレート式熱交換器は、複数の通路孔を形成した伝熱プレートが複数枚積層され、隣り合う各伝熱プレートの外周部間に流路形成用ガスケットが介装されることで、伝熱プレートを境にして高温流体を流通させる第１流路と、低温流体を流通させる第２流体とが交互に形成され、前記通路孔を囲む連通路形成用ガスケットが隣り合っている伝熱プレート間に介装されることで、流体を第１流路に流入出させる連通路と第２流路に流入出させる連通路とが形成され、前記連通路形成用ガスケットは、前記通路孔を囲む内側ガスケット部材と該内側ガスケットを囲む外側ガスケット部材とを有して二重にされている。【００２２】
ここで、本発明に係るプレート式熱交換器の一態様として、前記連通路形成用ガスケットは、前記高温流体が流通する連通路を形成する伝熱プレート間にのみ二重に並列されていてもよい。【００２３】
また、前記と異なる本発明に係るプレート式熱交換器は、複数の通路孔を形成した２枚の伝熱プレートの外周部を永久接続したカセットプレートが複数枚積層され、隣り合う各カセットプレートの外周部間に流路形成用ガスケットが介装され、前記通路孔を囲む連通路形成用ガスケットが隣り合っている伝熱プレート間に介装されることで、カセットプレート内とカセットプレート間とに高温流体を流通させる第１流路又は低温流体を流通させる第２流路が交互に形成され、前記連通路形成用ガスケットは、前記通路孔を囲む内側ガスケット部材と該内側ガスケットを囲む外側ガスケット部材とを有して二重にされている。【００２４】
また、前記各本発明に係るプレート式熱交換器の一態様として、前記連通路形成用ガスケットの内側ガスケット部材と外側ガスケット部材との間の伝熱プレートには、排液孔が形成されている構成を採用することができる。【００２５】
また、前記各本発明に係るプレート式熱交換器の他の態様として、前記連通路形成用ガスケット間の内側ガスケット部材と外側ガスケット部材との間の伝熱プレートには、給気孔が形成され、内外ガスケット部材と伝熱プレートとによって囲まれた密閉空間内に不活性ガスが充填されている構成を採用することができる。
【図面の簡単な説明】
【００２６】
【図１】本発明に係るプレート式熱交換器の第１及び第２の実施形態を示す概略分解斜視図である。
【図２】本発明に係るプレート式熱交換器の第１及び第２の実施形態の要部を示す概略分解斜視図である。
【図３】本発明に係るプレート式熱交換器の第１及び第２の実施形態の変形例の要部を示す概略分解斜視図である。
【図４】本発明に係るプレート式熱交換器の第２の実施形態を示す斜視図である。
【図５】本発明に係るプレート式熱交換器の第２の実施形態を示す要部拡大分解斜視図である。
【図６】本発明に係るプレート式熱交換器の第２の実施形態を示し、図５のＶ−Ｖ線での要部拡大断面図である。
【図７】本発明に係るプレート式熱交換器の第３の実施形態を示す要部拡大断面図である。
【図８】従来のプレート式熱交換器を示す概略斜視図である。
【図９】従来のプレート式熱交換器を示す概略分解斜視図である。
【図１０】従来のプレート式熱交換器の要部を示す要部拡大断面図である。
【発明を実施するための形態】
【００２７】
本発明に係るプレート式熱交換器の第１の実施形態について図１ないし図３を参照しながら説明する。ただし、従来と同一部分は、同一符号を付して説明する。なお、以下の説明において、上下左右などの記述は各実施形態の一例であって、実際の使用態様において、異なる位置となる場合があることはいうまでもない。
【００２８】
第１の実施形態のプレート式熱交換器は、図１ないし図３に示すように、従来と同様、伝熱プレート２０と伝熱プレート２０との間に第１流路１と第２流路２とを交互に形成し、第１流路１に高温流体Ｈを流通させ、第２流路２に低温流体Ｃを流通させる装置である。伝熱プレート２０と伝熱プレート２０との間に介装されるガスケット３０によって第１流路１及び第２流路２が設けられる。
【００２９】
ガスケット３０は、伝熱プレート２０の外周部を囲む流路形成用ガスケット３１と、通路孔２１〜２４の周囲を囲む連通路形成用ガスケット３２とが一体（図１及び図２に示す。）、又は別体（図３に示す。）となるように形成される。流路形成用ガスケット３１と連通路形成用ガスケット３２とを一体に形成したガスケット３０は、図２に示すように、伝熱部と通路孔２１〜２４との境界部分が共用される。
【００３０】
そして、第１の実施形態におけるプレート式熱交換器では、図２に示すように、高温流体Ｈが流通する連通路３を設ける連通路形成用ガスケット（以下、「ダブルラインガスケット」という。）３２が内側ガスケット部材３２ａと外側ガスケット部材３２ｂとの二重になっている。したがって、伝熱プレート２０には、ダブルラインガスケット３２の内側ガスケット部材３２ａと外側ガスケット部材３２ｂに対応して二重に溝が形成されている。
【００３１】
また、内側ガスケット部材３２ａは、通路孔２１，２２を囲むように円環状に形成されている。そして、外側ガスケット部材３２ｂは、変形台形状に形成され、第２流路２との境界部分が流路形成用ガスケット３１と共用されている。
【００３２】
また、流路形成用ガスケット３１と連通路形成用ガスケット３２とを別体に形成したダブルラインガスケット３２は、図３に示すように、通路孔２１，２２を囲む円環状の内側ガスケット部材３２ａと、この内側ガスケット部材３２ａを囲む円環状の外側ガスケット部材３２ｂとを同心に二重に並列したものとされている。したがって、外側ガスケット部材３２ｂは、流路形成用ガスケット３１と共用される部分がない。
【００３３】
そして、ダブルラインガスケット３２が左側上下の通路孔２１，２２を囲むことによって、高温流体Ｈが流れる連通路３が設けられている。また、低温流体Ｃが流れる連通路３は、従来から使用されている一般的なガスケット（以下、「シングルラインガスケット」という。）１３０の連通路形成用ガスケット１３２が右側上下の通路孔２３，２４を囲むことによって設けられるが、ダブルラインガスケット３２が右側上下の通路孔２３，２４を囲むことによって設けられてもよい。
【００３４】
そして、シングルラインガスケット１３０の連通路形成用ガスケット１３２が右側上下の通路孔２３，２４を遮断し、流路形成用ガスケット１３１が左側上下の通路孔２１，２２と伝熱部とを囲むように２枚の伝熱プレート２０，２０の間に介装されることによって、高温流体Ｈが流通する第１流路１が設けられている。
【００３５】
なお、図示しないが第１流路１を設ける流路形成用ガスケット１３１も、内側ガスケット部材と外側ガスケット部材とを二重に並列させるものとしてもよい。こうすることによって、第１流路１を設けるガスケットが酸化劣化しないようにすることができる。さらに、第２流路２を設ける流路形成用ガスケット１３１も、内側ガスケット部材と外側ガスケット部材とを二重に並列させるものとしてもよい。こうすることによって、第１流路１と第２流路２とを区別することなく、組み立てることができる。
【００３６】
そして、ガスケット３０、シングルラインガスケット１３０が隣り合っている伝熱プレート２０，２０間に交互に介装されることにより、高温流体Ｈが左側上の通路孔２１から第１流路１内を流通し、左側下の通路孔２２から排出される一方、低温流体Ｃが右側下の通路孔２４から第２流路２内を流通し、右側上の通路孔２３から排出されることで、高温流体Ｈと低温流体Ｃとが熱交換される。
【００３７】
このとき、高温流体Ｈは、左側上の連通路３内を流通することによって第１流路１内に流入する。この連通路３内の高温流体Ｈは、ダブルラインガスケット３２の内側ガスケット部材３２ａと触れるが、この内側ガスケット部材３２ａの周囲が外側ガスケット部材３２ｂに囲まれていることから、大気に触れず、したがって、酸化劣化反応しにくくされている。
【００３８】
なお、左側下の連通路３内を流通する高温流体Ｈは、低温流体Ｃと熱交換され、降温していることから、左側下の流通路３を形成するガスケット３２は、二重でなく一重であってもよい。また、右側上下の通路孔２３，２４を連通させるための連通路３がシングルラインガスケット１３０の連通路形成用ガスケット１３２によって設けられても、この連通路３内には低温流体Ｃが流通し、連通路形成用ガスケット１３２が酸化劣化するほど高温にならない。
【００３９】
したがって、このプレート式熱交換器は、ダブルラインガスケット３２が罅割れすることなく、高温流体Ｈが連通路３内から漏洩しないものとなっている。
【００４０】
次に、本発明に係るプレート式熱交換器の第２の実施形態について図２ないし図６を参照しながら説明する。第２の実施形態では、ダブルラインガスケット３２の内側ガスケット部材３２ａと外側ガスケット部材３２ｂとに挟まれる部分の伝熱プレート２０に排液孔２５と給気孔２６との両方又はいずれか一方のみが設けられたことを特徴としている。
【００４１】
排液孔２５は、ダブルラインガスケット３２の内側ガスケット部材３２ａから漏洩した高温流体Ｈを排出させるため、第１流路１を設ける伝熱プレート２０，２０間に環状のガスケット３３を介装することで、このガスケット３３によって排液孔２５が連続するようにされている。
【００４２】
そして、図４に示すように、排液孔２５と連続するノズル１３が固定フレーム１１に取り付けられ、図６に示すように、このノズル１３から高温流体Ｈが漏洩していると、内側ガスケット部材３２ａが罅割れなどで漏洩していると検知することができる。
【００４３】
なお、図５及び図６は、図２に示したダブルラインガスケット３２が伝熱プレート２０の間に介装され、固定フレーム１１とＤプレート２０ｄとの間に介装された二重のＤガスケット４１，４２が連通孔２１を囲んだ状態をも示しているが、第２の実施形態のプレート式熱交換器は、図３に示したダブルラインガスケット３２であっても実施することができる。
【００４４】
いずれにしても、給気孔２６は、内側ガスケット部材３２ａがさらに酸化劣化反応しにくいようにするために形成される。すなわち、ダブルラインガスケット３２の内側ガスケット部材３２ａと外側ガスケット部材３２ｂと２枚の伝熱プレート２０によって囲まれた密閉空間内に、給気孔２６から窒素などの不活性ガスを供給し、内側ガスケット部材３２ａが酸素に全く触れないようにする。
【００４５】
そして、この密閉空間は、伝熱プレート２０を介して第１流路１が隣り合っているため、第１流路１を設けている伝熱プレート２０，２０間に、給気孔２６と連続する環状のガスケット３３を介装することで、このガスケット３３に連通してフレーム１１に取り付けられているノズル１４から密閉空間内に不活性ガスを供給する。図４に示すように、この不活性ガスを供給するためのノズル１４が固定フレーム１１に取り付けられている。
【００４６】
なお、高温流体Ｈが高温で流通する左側上の連通路３にのみ排液孔２５と給気孔２６を設けてもよいが、降温した高温流体Ｈが流通する左側下の連通路３を設けるダブルラインガスケット３２にも排液孔２５と給気孔２６を設けることにより、上下反転して組み立てることができる。したがって、この場合の排液孔２５と給気孔２６とは、上下が逆になると、排液孔２５が給気孔２６となり、給気孔２６が排液孔２５となる位置に形成される。
【００４７】
次に、本発明に係るプレート式熱交換器の第３の実施形態について図７を参照しながら説明する。第３の実施形態は、鉛直姿勢で複数枚積層されたカセットプレート２００とカセットプレート２００との間にダブルラインガスケット３２が介装されたことを特徴としている。
【００４８】
カセットプレート２００は、２枚の伝熱プレート２０，２０の外周部をレーザ溶接やロウ付けなどによって永久接続（図７において黒丸で示す。）したもので、内部に高温流体Ｈを流通させる第１流路１又は低温流体Ｃを流通させる第２流路２が設けられる。
【００４９】
そして、カセットプレート２００が複数枚積層され、カセットプレート２００とカセットプレート２００との間に低温流体Ｃを流通させる第２流路２又は高温流体Ｈを流通させる第１流路１が設けられる。この積層されたカセットプレート２００とカセットプレート２００との外周部にガスケット３０が介装される。
【００５０】
ガスケット３０は、カセットプレート２００の永久接続された外周部において介装する流路形成用ガスケット（図示せず）と、連通路３を設けるダブルラインガスケット３２とを組み合わせたものとされている。ダブルラインガスケット３２は、通路孔２１，２２を囲む円環状の内側ガスケット部材３２ａと、この内側ガスケット部材３２ａを囲む外側ガスケット部材３２ｂとを同心に二重に並列したものである。外側ガスケット部材３１ｂは、図示したように永久接続した内側に介装される。
【００５１】
あるいは、図示しないが、外側ガスケット部材３２ｂは、永久接続した部分の間２０１に介装され、内側ガスケット部材３１ａは、永久接続した内側（図７において外側ガスケット部材３１ｂに介装したライン）に介装される。
【００５２】
カセットプレート２００内の第１流路１内に高温流体Ｈを流通させるため、連通路３内にも高温流体Ｈが流通する。連通路３は、通路孔２１，２２を囲むダブルラインガスケット３２によって形成されている。ダブルラインガスケット３２の内側ガスケット部材３２ａは、高温流体Ｈと触れるが、大気中の酸素との反応が抑制され、酸化劣化が抑制される。
【００５３】
したがって、カセットプレート２００を組み立てたプレート式熱交換器もダブルラインガスケット３２が罅割れや経年劣化によるヘタリが抑制され、高温流体Ｈが早期に漏洩しないものとなっている。なお、このプレート式熱交換器は、カセットプレート２００内に低温流体Ｃを流通させ、カセットプレート２００とカセットプレート２００との間に高温流体Ｈを流通させても、高温流体Ｈが漏洩しないものとすることができる。
【００５４】
以上、本実施形態に係るプレート式熱交換器は、複数の通路孔２１，２２，２３，２４を形成した伝熱プレート２０が複数枚積層され、隣り合う各伝熱プレート２０の外周部間に流路形成用ガスケット３１が介装されることで、伝熱プレート２０を境にして高温流体Ｈを流通させる第１流路１と、低温流体Ｃを流通させる第２流体２とが交互に形成され、前記通路孔２１，２２，２３，２４を囲む連通路形成用ガスケット３２，３２が隣り合っている伝熱プレート２０間に介装されることで、流体Ｈ，Ｃを第１流路１に流入出させる連通路３と第２流路２に流入出させる連通路３とが形成され、前記連通路形成用ガスケット３２は、前記通路孔２１，２２，２３，２４を囲む内側ガスケット部材３２ａと該内側ガスケット３２ａを囲む外側ガスケット部材３２ｂとを有して二重にされている。そのため、連通路形成用ガスケット３２が内側ガスケット部材３２ａと外側ガスケット部材３２ｂの二重で通路孔２１，２２，２３，２４を囲って連通路３を形成していることにより、内側ガスケット部材３２ａが高温流体Ｈに触れるものの大気中の酸素との反応が抑制され、したがって、シールを維持する内側ガスケット部材３２ａで酸化劣化反応による分子鎖の切断、架橋反応が進行せず、圧縮永久歪みの進行や罅割れが抑えられ、連通路形成用ガスケット３２によって形成されている連通路３内を流通している高温流体Ｈを漏洩しにくいようにすることができる。
【００５５】
また、本実施形態に係るプレート式熱交換器によれば、前記連通路形成用ガスケット３２は、前記高温流体Ｈが流通する連通路３を形成する伝熱プレート２０間にのみ二重に並列されている。これにより、高温流体Ｈが流通する連通路３を形成する連通路形成用ガスケット３２が酸化劣化反応によってガスケット劣化が進行しやすいことに鑑み、この連通路形成用ガスケット３２のみ二重とされ、低温流体Ｃが流通する流路を形成する連通路形成用ガスケット３２が一重とされる。
【００５６】
また、本実施形態に係るプレート式熱交換器は、複数の通路孔２１，２２，２３，２４を形成した２枚の伝熱プレート２０，２０の外周部を永久接続したカセットプレート２００が複数枚積層され、隣り合う各カセットプレート２００，２００の外周部間に流路形成用ガスケット３１が介装され、前記通路孔２１，２２，２３，２４を囲む連通路形成用ガスケット３２が隣り合っている伝熱プレート２００間に介装されることで、カセットプレート２００内とカセットプレート２００間とに高温流体Ｈを流通させる第１流路１又は低温流体Ｃを流通させる第２流路２が交互に形成され、前記連通路形成用ガスケット３２は、前記通路孔を囲む内側ガスケット部材３２ａと該内側ガスケット３２ａを囲む外側ガスケット部材３２ｂとを有して二重にされている。そのため、カセットプレート２００とカセットプレート２００との間に介装される連通路形成用ガスケット３２が内側ガスケット部材３２ａと外側ガスケット部材３２ｂの二重とされていることにより、カセットプレート２００内に高温流体Ｈが流通する第１流路１が設けられる場合において、連通路形成用ガスケット３２が酸化劣化反応しにくく、ガスケット劣化の進行を抑え、高温流体Ｈを連通路３から漏洩しにくいようにすることができる。
【００５７】
また、本実施形態に係るプレート式熱交換器によれば、前記連通路形成用ガスケット３２の内側ガスケット部材３２ａと外側ガスケット部材３２ｂとの間の伝熱プレート２０には、排液孔２５が形成されている。そのため、内側ガスケット部材３２ａと外側ガスケット部材３２ｂとの間の伝熱プレート２０に排液孔２５が形成されていることにより、内側ガスケットが熱劣化や経年劣化に伴うヘタリにより、内側ガスケット部材３２ａから漏洩した高温流体Ｈを外側ガスケット部材３２ｂ内の排液孔２５から排出することができる。
【００５８】
また、本実施形態に係るプレート式熱交換器によれば、前記連通路形成用ガスケット３２間の内側ガスケット部材３２ａと外側ガスケット部材３２ｂとの間の伝熱プレート２０には、給気孔２６が形成され、内外ガスケット部材と伝熱プレート２０とによって囲まれた密閉空間内に不活性ガスが充填されている。これにより、内側ガスケット部材３２ａと外側ガスケット部材３２ｂと伝熱プレート２０とによって囲まれた密閉空間内に不活性ガスが充填されていることにより、この密閉空間内に存在する空気をなくすことで、内側ガスケット部材３２ａの酸化劣化反応を極力抑えることができる。
【００５９】
本発明は、前記第１ないし第３の実施形態に限定することなく種々変更することができる。例えば、前記第３の実施形態において説明したカセットプレート２００を積層するプレート式熱交換器においても、第２の実施形態で説明した排気孔や給気孔２６を備え、また、第１の実施形態で説明したように、第１流路１の上流側のみ連通路形成用ガスケット３２を二重としてもよい。また、排液孔２５と連続するノズル１３及び給気孔２６と連続するノズル１４は、固定フレーム１１でなく移動フレーム１２に設けられてもよい。
【符号の説明】
【００６０】
１………第１流路
２………第２流路
３………連通路
２０……伝熱プレート
２１，２２，２３，２４…通路孔
２５……排液孔
２６……給気孔
３０……ガスケット
３１……流路形成用ガスケット
３２……連通路形成用ガスケット（ダブルラインガスケット）
３２ａ…内側ガスケット部材
３２ｂ…外側ガスケット部材
２００…カセットプレート
Ｃ………低温流体
Ｈ………高温流体
【図１】
2013061966.tif 000003
【図２】
2013061966.tif 000004
【図３】
2013061966.tif 000005
【図４】
2013061966.tif 000006
【図５】
2013061966.tif 000007
【図６】
2013061966.tif 000008
【図７】
2013061966.tif 000009
【図８】
2013061966.tif 000010
【図９】
2013061966.tif 000011
【図１０】
2013061966.tif 000012
【国際調査報告】
2013061966.tif 000013
2013061966.tif 000014
2013061966.tif 000015
2013061966.tif 000016